(57)【要約】【課題】ベッド型のマッサージ台に寝た状態でローラによるマッサージを受ける際、身体の凹凸形状に応じてローラの押圧効果を均等に受けることができるようにしたベッド型マッサージ機を提供する。【解決手段】ベッド台５の長手方向に台車枠７が往復移動すると共に台車枠の複数個所に離間した状態でローラ軸１８が設けられ、各ローラ軸に設けられた各ローラ１９は外周にゴムリング２２を有する回転リング２３を回動自在に保持してなるローラ支持板２４を備え、各ローラ支持板にはローラ軸１８を貫通する縦長状の収納スペース２８が形成され、各収納スペースに収納したスプリング２９の下端がローラ軸の内底部３１に支持され、且つ各スプリングの上端が各ローラ支持板２４の収納スペース２８の上端に当接されることによって、各ローラ１９を上方から押圧する身体の凹凸形状に応じて各ローラ１９がスプリング２９の弾性力によって上下動するようにした。【選択図】図１
2009195543.tif 000002
【特許請求の範囲】
【請求項１】
ベッド台の長手方向に台車枠が往復移動すると共に台車枠の複数個所に離間した状態でベッド台の長手方向に直交するローラ軸が設けられ、各ローラ軸に設けられた複数のローラの各間にはローラスペーサが配設されることによって各ローラが位置決めされ、各ローラは外周にゴムリングを有する回転リングを回動自在に保持してなるローラ支持板を備え、各ローラ支持板にはローラ軸を貫通する縦長状の収納スペースが形成され、各収納スペースに収納したスプリングがローラ軸に形成された貫通孔に挿着されると共に、各スプリングの下端がローラ軸の内底部に支持され、且つ各スプリングの上端が各ローラ支持板の収納スペースの上端に当接されることによって、各ローラを上方から押圧する身体の凹凸形状に応じて各ローラがスプリングの弾性力によって上下動するようにしたことを特徴とするベッド型マッサージ機。
【請求項２】
各ローラ軸の両端を保持するブラケットを台車枠に回動自在に枢設すると共に、台車枠に固設された張設板に各ブラケットをベッド台の長手方向に押出し又は復帰動作するシリンダが設けられ、シリンダの作動によりブラケットを回動することによってローラ軸に設けられたローラの高さ調整を行うことを特徴とする請求項１記載のベッド型マッサージ機。
【発明の詳細な説明】
【技術分野】
【０００１】
本発明は、ベッド型のマッサージ台に寝た姿勢で全身をマッサージするベッド型マッサージ機に関する。
【背景技術】
【０００２】
従来から、マッサージ台の上部に寝た姿勢で全身の背面又は前面をマッサージするベッド型マッサージ機が開発されている。その一例として、特許文献１を参照すると、この文献の装置は、背中と首部のマッサージを同時に行うと共に、首部に対してもみ治療をはじめとするローリング治療やさすり治療を施すことができるベッド型マッサージ治療器に関するものである。その構造は、ベッド台の長手方向に沿って往復移動する台車に背中をマッサージする背中用ローラを設け、ベッドの首部位置に首部をマッサージする首部用ローラを設けたものである。
【０００３】
この文献の実施例を参照すると、ベッドの首部位置にはローラ軸に左右一対の互いに傾斜したローラを１組設けることによってもみ治療を行なう首部用ローラが設けられ、ベッドの背部位置には回転軸から延設された三つ又アームの各アームに幅の異なる鼓形の３個のローラを枢設してなる背中用ローラが設けられ、ベッドの背部位置と脚部位置との間にはバイブレータ機能を有する円筒形状のバイブローラが設けられ、さらにベッドの脚部位置にはローラ軸に一対の互いに傾斜したローラを２組設けることによって左右の脚部に対して同時にもみ治療を行なう首部用ローラが設けられている。
【０００４】
上記のように特許文献１の装置には、ベッドの各位置に応じて各種構成のマッサージ用部材が設けられ、夫々の身体部位に応じたマッサージを行うように工夫されている。この装置において、例えば背中用ローラに身体の背部を上載する場合、背部の重量がローラに掛かかるため、身体に局部的な痛みを生じるおそれがある。特に、特許文献１の構成においては、三つ又アームの各アームに幅の異なる鼓形の３個のローラを枢設してなる背中用ローラが設けられているため、モータの回転によって三つ又アームの各アームに設けられたローラが交互に背部に当ることによって、身体に局部的な痛みを生じるおそれがある。
【特許文献１】特開２００２―２９１８２８号公報
【発明の開示】
【発明が解決しようとする課題】
【０００５】
上記のように、身体の背部は体重の主要部であるうえ、身体の肉厚が薄いため、ローラの上部に寝た状態になると、痛みを生じやすく、また首部は神経の集中する部位であるため、この首部をローラに上載すると、やはり激しい痛みを生じるおそれがある。
【０００６】
また、身体部位には凹凸形状があるため、マッサージ台上に複数のローラが均等に配置されている場合、又は複数のローラがマッサージ台上を往復移動する場合、ローラが突出した身体部位に強い押圧感を与えることがあるため、その身体に局部的な激しい痛みを生じ、マッサージ効果が減退するという不都合が生じる。
【０００７】
本発明は、このような事情に鑑みてなされたもので、ベッド型のマッサージ台に寝た状態でローラによるマッサージを受ける際、身体の凹凸形状に応じてローラの押圧効果を均等に受けることができるようにしたベッド型マッサージ機を提供することを目的とする。
【課題を解決するための手段】
【０００８】
上記の目的を達成するために、本発明の請求項１のベッド型マッサージ機は、ベッド台の長手方向に台車枠が往復移動すると共に台車枠の複数個所に離間した状態でベッド台の長手方向に直交するローラ軸が設けられ、各ローラ軸に設けられた複数のローラスペーサの各間にはローラが配設され、該ローラは外周にゴムリングを有する回転リングを回動自在に保持してなるローラ支持板を備え、各ローラ支持板にはローラ軸を貫通する縦長状の収納スペースが形成され、各収納スペースに収納したスプリングがローラ軸に形成された貫通孔に挿着されると共に、各スプリングの下端がローラ軸の内底部に支持され、且つ各スプリングの上端が各ローラ支持板の収納スペースの上端に当接されることによって、各ローラを上方から押圧する身体の凹凸形状に応じて各ローラがスプリングの弾性力によって上下動するようにしたことを特徴とする。
【０００９】
また、本発明の請求項２のベッド型マッサージ機は、請求項１において、各ローラ軸の両端を保持するブラケットを台車枠に回動自在に枢設すると共に、台車枠に固設された張設板に各ブラケットをベッド台の長手方向に押出し又は復帰動作するシリンダが設けられ、シリンダの作動によりブラケットを回動することによってローラ軸に設けられたローラの高さ調整を行うことを特徴とする。
【発明の効果】
【００１０】
本発明のベッド型マッサージ機によれば、台車枠がベッド台の長手方向に沿って前後に移動すると、台車枠に設けられた２本のローラ軸の各ローラがその上部に寝た状態の身体の凹凸形状に応じて上下動しながら回動することにより、身体各部には各ローラが略均等な押圧力で回動しながらマッサージ効果を与えることができるため、身体に局部的な痛みを与えない状態で身体各部をマッサージすることが可能となる。
【００１１】
また、シリンダの作動によりブラケットを回動することによってローラ軸に設けられたローラの高さ調整を行うことができるため、使用する者の好みに応じてローラ軸の各ローラ全体の高さ調節を行なうことが可能である。また、ローラ軸の各ローラ全体を高く調整した場合、マッサージ効果を強い状態にすることができ、しかも各ローラは身体の凹凸形状に応じて上下動しながら台車枠の移動によって往復動するため、身体各部の凹凸形状に応じて各ローラの押圧力を略均等に与え、心地よいマッサージ効果を与えることが可能となる。
【発明を実施するための最良の形態】
【００１２】
以下、本発明の実施例について図面を参照しながら説明する。
【実施例１】
【００１３】
この実施例のベッド型マッサージ機１は、図１（ａ）、（ｂ）に示すように、下部フレーム２の下部の四方にキャスター３、３…を設けたことによって移動可能にされると共に、下部フレーム２の上方に長方形枠形状のフレーム４を有するベッド台５が設けられ、ベッド台５の上面はクッション性を有するシートカバー５ａで覆われた構成とされている。また、ベッド台５の側面にはベッド台５の内部に設けられた電気的装置の制御を行なう操作パネル６が設けられている。
【００１４】
図１(ａ)は上記のシートカバー５ａを取り外した状態でベッド台５の内部構造を示す平面図である。この図に示すように、ベッド台５には台車枠７がベッド台５の長手方向に往復移動可能に構成されている。また、アングル材の組合せによって平面形状が長方形に形成されたベッド台５を構成すると共に、ベッド台５の両側に長手方向に延びるレール部８、８が設けられている。
【００１５】
一方、台車枠７は、図２(ａ)に示すように、平面形状が長方形であって、台車枠７の両側の前後位置に車輪９、９…が回動自在に設けられ、夫々の車輪９、９…をベッド台５の両側のレール部８、８に搭載したことによって、台車枠７はレール部８、８に沿ってベッド台５（図１（ａ）参照）の長手方向を往復移動可能とされている。また、台車枠７の長手方向における略中央には張設板１０が台車枠７の長手方向に直交する状態に固設され、この張設板１０の下部にはフィードナット１１が固設されている。
【００１６】
また、フィードナット１１に螺合された長尺の送りネジ１２の両端が、図１に示すように、ベッド台５の前後位置に架設された支持部材１３、１３のベアリング１４、１４に回動自在に支持されている。さらに、送りネジ１２の一端に固設されたプーリ１５と支持部材１３の下部に固設されたモータ１６の回転軸１６ａとがベルト１７で連結され、モータ１６を駆動することによりベルト１７を介して送りネジ１２が回転すると、送りネジ１２のネジ溝にフィードナット１１が倣うことによって台車枠７がベッド台５の両側のレール部８、８に沿って往復移動することとなる。
【００１７】
また、図２(ａ)に示すように、上記の台車枠７には長手方向の前後に離間した状態でベッド台５の長手方向に直交するローラ軸１８、１８が設けられている。本実施例において、ローラ軸１８は共通した構成を有し、台車枠７の前後に配した構成とされているが、３本又はそれ以上のローラ軸１８、１８…を台車枠７に設けた構成とすることも可能である。
【００１８】
また、本実施例において、図３に示すように、ローラ軸１８は２本の金属パイプ１８ａ、１８ｂを縦方向に接合して成り、上方の金属パイプ１８ａが下方の金属パイプ１８ｂよりも長尺に構成されている。本実施例においては、１本のローラ軸１８について６個のローラ１９、１９…が設けられ、夫々のローラ１９、１９…の各間と最両端のローラ１９ａ、１９ｂの外方には所定幅のローラスペーサ２０、２０…が配設されることによって各ローラ１９、１９…が位置決めされている。各ローラスペーサ２０の幅は、ローラ軸１８の長さとローラ１９の幅とローラ１９の使用数によって決定される。
【００１９】
このような構成において、図３に示すように、ローラ軸１８を構成する下方の金属パイプ１８ｂの長さは、６個のローラ１９、１９…とその間のローラスペーサ２０、２０…と最両端のローラスペーサ２０ａ、２０ｂとをローラ軸１８の軸方向に合体した長さに略一致し、さらに上方の金属パイプ１８ａは下方の金属パイプ１８ｂの両端から短幅だけ突出した部分を有し、この両側の各突出部２１ａ、２１ｂには後述するリンク板３８の貫通孔４０に嵌合するための平坦溝２１ｃが形成されると共に、ネジ穴２１ｄが設けられている。
【００２０】
また、各ローラ１９、１９…はいずれも同様の構成を有するものであり、その一つを説明すると、図４（ａ）、（ｂ）に示すように、ローラ１９は外周に弾性ゴムリング２２を有する回転リング２３を回動自在に保持してなるローラ支持板２４を備えている。即ち、ローラ１９を分解した図４（ａ）の断面図に示すように、ローラ１９は、円形（図５参照）に形成されたローラ支持板２４と、ローラ支持板２４の外周に設ける弾性ゴムリング２２と、ローラ支持板２４の両側に合致して固定する回転リング２３とを有する。
【００２１】
図４(ｂ)に示すように、ローラ支持板２４の両側に回転リング２３を構成する左右の分割体２３ａ、２３ｂを合致すると、ローラ支持板２４の両側外周に形成されたリング形状の凹部２４ａと、弾性ゴムリング２２の内周側に形成された突出部２２ａと、回転リング２３の左右の分割体２３ａ、２３ｂの内側に形成された凸溝部２３ｃが嵌合することによって、ローラ支持板２４の外周にゴムリング２２を固定することができる。また、このように合致した状態で、回転リング２３の左右の分割体２３ａ、２３ｂに設けられたネジ穴２６にビス２７を螺合することによって、各部材が固定状態となる。
【００２２】
さらに、各ローラ支持板２４には、図５又は図６に示すように、ローラ軸１８を貫通する縦長状の収納スペース２８が形成され、各収納スペース２８に収納したスプリング２９が、上下の金属パイプ１８ａ、１８ｂからなるローラ軸１８に形成された貫通孔３０ａ、３０ｂ、３０ｃに挿着されると共に、各スプリング２９の下端が下方の金属パイプ１８ｂの内底部３１に支持され、且つ各スプリング２９の上端が各ローラ支持板２４の収納スペース２８の上端に当接して弾発した構成とされている。
【００２３】
なお、このような構成において、図５又は図６に示すように、ローラ軸１８を構成する上方の金属パイプ１８ａには上下に貫通孔３０ａ、３０ｂが形成され、下方の金属パイプ１８ｂには上方のみ貫通孔３０ｃが形成され、これらの貫通孔３０ａ、３０ｂ、３０ｃには案内管２５が嵌合されており、この案内管２５にスプリング２９を収納することによって、スプリング２９の伸縮を円滑に案内するようにしている。
【００２４】
上記の構成により、図３に示すように、各ローラ１９を上方から押圧する身体Ｂの凹凸形状に応じて、各ローラ１９がスプリング２９の弾性力によって上下動することが可能とされている。即ち、図６に示すように、左側のローラ１９（１９Ａ）は上方からの押圧がない通常の状態であって、スプリング２９が自然に延びた状態であり、右側のローラ１９（１９Ｂ）のように上方から人体等の押圧力が作用したとき、その押圧力に応じてスプリング２９が弾性力に抗して圧縮されることにより、図示のローラ１９Ａ、１９Ｂの高さの差Ｈで示すように、ローラ１９（１９Ｂ）が下方に沈み、上方からの押圧力が解除されると、スプリング２９の弾性力によって、左側のローラ１９（１９Ａ）のように元の位置に復帰する。
【００２５】
従って、上記の構成により、ベッド台５の上方を覆うシートカバー５ａの下部で台車枠７がベッド台５の長手方向に沿って前後に移動すると、台車枠７に設けられた２本のローラ軸１８、１８の各ローラ１９、１９…が、シートカバー５ａの上面に寝た状態の身体Ｂ（図８参照）の凹凸形状に応じて上下動しながら回動することにより、身体各部には各ローラ１９、１９…が略均等な押圧力で回動しながらマッサージ効果を与えることができるため、身体Ｂに局部的な痛みを与えない状態で身体各部をマッサージすることが可能となる。
【００２６】
さらに、本発明においては、図２(ａ)、(ｂ)に示すように、各ローラ軸１８の両端を保持するブラケット３２（ブラケット作用板３２ａと両側のブラケット固定板３２ｂ、３２ｂとからなる）を台車枠７に回動自在に枢設すると共に、台車枠７に固設された張設板１０に各ブラケット３２をベッド台５の長手方向に押出し又は復帰動作するシリンダ３３が設けられ、シリンダ３３の作動によりブラケット３２を回動することによってローラ軸１８に設けられたローラ１９、１９…の高さ調整を行う構成とされている。
【００２７】
上記について本実施例で具体化された構成について述べると、図２(ａ)、(ｂ)に示すように台車枠７を構成する長辺側の両側７ａ、７ｂに支持板３４、３４が固設され、各支持板３４、３４には台車枠７の短辺内に収まる長さのブラケット作用板３２ａを両側で固定支持するブラケット固定板３２ｂ、３２ｂが各支持板３４に設けられた枢支ネジ３５で回動自在に枢設されている。
【００２８】
以下、各支持板３４、３４…の構成はいずれも同様であるため、図７(ａ)に示す片側の構成について述べると、ブラケット支持板３２ｂを回動自在に枢設した枢支ネジ３５の上下には平行アーム３６ａ、３６ｂの各端部を回動自在にネジ３７ａ、３７ｂで固定すると共に、平行アーム３６ａ、３６ｂは互いに平行を保持した状態で夫々の他端をリンク板３８の上下位置に回動自在にネジ３９ａ、３９ｂで固定され、これによってリンク板３８は縦方向に立った状態を維持して上下方向に移動可能とされている。
【００２９】
さらに、上記のリンク板３８に固定された上下のネジ３９ａ、３９ｂの間には貫通孔４０が形成され、この貫通孔４０にローラ軸１８の上方の金属パイプ１８ａの突出部２１ａ（又は２１ｂ）が挿着されている。このローラ軸１８の上方の金属パイプ１８ａの突出部２１ａ（又は２１ｂ）には、上記のように平坦溝２１ｃ（図３参照）が形成され、この平坦溝２１ｃがリンク板３８の貫通孔４０の内部形状に嵌着されると共に、貫通孔４０の外側に突出したローラ軸１８の突出部２１ａ（又は２１ｂ）に固定管４１が嵌合され、さらに固定管４１に形成されたネジ穴４２にネジ４３が挿着されると共に上方の金属パイプ１８ａのネジ穴２１ｃに螺締されている。
【００３０】
上記の構成において、台車枠７の中央に設けられた上記の張設板１０にはモータ３３ｂの回転によってシリンダロッド３３ａを伸縮するシリンダ３３が固設されると共に、シリンダロッド３３ａの端部が回動自在に前後の各ブラケット３２に固設されているため、モータ３３ｂを回動することにより、シリンダロッド３３ａが伸縮する（伸縮差Ｄ）のに応じて、ブラケット作用板３２ａとブラケット固定板３２ｂとからなるブラケット３２が枢支ネジ３５を中心に回動し、平行アーム３６ａ、３６ｂを介してローラ軸１８を上下動し、これによってローラ軸１８の各ローラ１９、１９…全体の高さ調節を行うことが可能となる。
【００３１】
上記の構成により、本実施例のベッド型マッサージ機を使用する者の好みに応じてローラ軸１８の各ローラ１９、１９…全体を高く調節することにより、マッサージ効果を強くする状態に調節することができ、しかも上記のように各ローラ１９、１９…は身体の凹凸形状に応じて上下動しつつ、台車枠７の移動によって往復動するため、身体の各部の凹凸形状に応じて各ローラ１９、１９…の押圧力を略均等に与え、心地よいマッサージ効果を与えることが可能となる。
【産業上の利用可能性】
【００３２】
本発明のベッド型マッサージ機は、ベッド型のマッサージ台に寝た状態でローラによるマッサージを受ける際、身体の凹凸形状に応じてローラの押圧効果を均等に受けることができるようにしたベッド型マッサージ機として利用可能である。
【図面の簡単な説明】
【００３３】
【図１】(ａ)は本発明によるベッド型マッサージ機のベッド台の内部を示す平面図であり、（ｂ）は側面図である。
【図２】(ａ)は本発明によるベッド型マッサージ機の台車枠を示す平面図であり、（ｂ）は側面図である。
【図３】本発明によるベッド型マッサージ機における一本のローラ軸に設けられた複数のローラに身体を載せたときの各ローラの沈み具合を示す概略図である。
【図４】(ａ)は本発明によるベッド型マッサージ機における一個のローラを分解した断面図であり、（ｂ）はその組み立てた状況を示す断面図である。
【図５】本発明によるベッド型マッサージ機における一個のローラの正面図である。
【図６】本発明によるベッド型マッサージ機におけるローラ軸に設けられた２個のローラによって各ローラの上下動を図解した断面図である。
【図７】本発明によるベッド型マッサージ機におけるローラ軸を上下動するための機構を示す側面図であり、(ａ)はローラを下降した状況を示し、（ｂ）はローラを上昇した状況を示す。
【図８】本発明によるベッド型マッサージ機に人体を上載した状況を示す概略図である。
【符号の説明】
【００３４】
１  ベッド型マッサージ機
２  下部フレーム
３  キャスター
４  フレーム
５  ベッド台
５ａ  シートカバー
６  操作パネル
７  台車枠
７ａ、７ｂ  台車枠の長辺側の両側
８  レール部
９  車輪
１０  張設板
１１  フィードナット
１２  送りネジ
１３  支持部材
１４  ベアリング
１５  プーリ
１６  モータ
１６ａ  回転軸
１７  ベルト
１８  ローラ軸
１８ａ  上方の金属パイプ
１８ｂ  下方の金属パイプ
１９  ローラ
１９ａ、１９ｂ  最両端のローラ
２０  ローラスペーサ
２０ａ、２０ｂ  最両端のローラスペーサ
２１ａ、２１ｂ  突出部
２１ｃ  平坦溝
２１ｄ  ネジ穴
２２  ゴムリング
２２ａ  突出部
２３  回転リング
２３ｃ  凸溝部
２３ａ、２３ｂ  左右の分割体
２４  ローラ支持板
２４ａ  凹部
２５  案内管
２６  ネジ穴
２７  ビス
２８  収納スペース
２９  スプリング
３０ａ、３０ｂ、３０ｃ  貫通孔
３１  内底部
３０ａ、３０ｂ  貫通孔
３０ｃ  貫通孔
３２  ブラケット
３２ａ  ブラケット作用板
３２ｂ  ブラケット固定板
３３  シリンダ
３４  支持板
３５  枢支ネジ
３６ａ、３６ｂ  平行アーム
３７ａ、３７ｂ  ネジ
３８  リンク板
３９ａ、３９ｂ  ネジ
４０  貫通孔
４１  固定管
４２  ネジ穴
４３  ネジ
Ｂ  身体
Ｄ  伸縮差
Ｈ  ローラの高さの差
【図１】
2009195543.tif 000003
【図２】
2009195543.tif 000004
【図３】
2009195543.tif 000005
【図４】
2009195543.tif 000006
【図５】
2009195543.tif 000007
【図６】
2009195543.tif 000008
【図７】
2009195543.tif 000009
【図８】
2009195543.tif 000010